(57)【要約】【課題】表示ムラを改善する。【解決手段】電気光学装置は、走査線とデータ線との交差に対応して複数の画素回路を備える。ｉ行ｊ列目の画素回路Ｐｉｊにおいて、左側のデータ線１０と画素電極６１との間にはＴＦＴ５０ａが設けられ、右側のデータ線１０と画素電極６１との間にはＴＦＴ５０ｂが設けられている。左右のデータ線１０には、極性の異なるデータ信号が供給される。ＴＦＴ５０ａのゲート電極はｉ行目の走査線２０に接続される一方、ＴＦＴ５０ｂのゲート電極はｉ−１行目の走査線２０に接続される。ここで、左右のデータ線１０に供給されるデータ信号の極性は相違するので、ＴＦＴ５０ｂによってリーク電流が発生する。【選択図】図３
2008158385.tif 000002
【特許請求の範囲】
【請求項１】
複数の走査線と、複数のデータ線と、前記走査線と前記データ線との交差に対応して設けられた複数の画素回路とを備える電気光学装置であって、
前記複数のデータ線の各々にデータ信号を供給し、隣接するデータ線に所定電位を基準として極性の異なるデータ信号を供給するデータ線駆動回路と、
前記複数の走査線を順次選択する走査信号を出力する走査線駆動回路とを備え、
前記複数の画素回路の各々は、
画素電極と、前記所定電位が供給される対向電極と、前記画素電極と前記対向電極との間に挟持された電気光学物質とを有する電気光学素子と、
前記データ線と前記画素電極との間に設けられた第１トランジスタと、
当該データ線に隣接するデータ線と前記画素電極との間に設けられた第２トランジスタとを備え、
前記第１トランジスタ及び前記第２トランジスタのうち、一方のトランジスタのゲート電極は当該画素回路が属する行の走査線に接続され、他方のトランジスタのゲート電極は１フレーム期間において当該行の走査線が選択される前に選択される走査線に接続される、
電気光学装置。
【請求項２】
前記複数の画素回路はｍ（ｍは自然数）行ｎ（ｎは自然数）列に配列され、
前記他方のトランジスタのゲート電極は、１フレーム期間において当該行の走査線が選択されるｋ（ｋは自然数）本前に選択される走査線に接続され、
前記複数の走査線の本数はｍ＋ｋである、
請求項１に記載の電気光学装置。
【請求項３】
前記走査線駆動回路は、１フレーム期間においてｍ＋ｋ本の走査線を順次排他的に選択することを特徴とする請求項２に記載の電気光学装置。
【請求項４】
ｍ＋ｋ本の走査線のうち、ｍ本の走査線は各行に対応して設けらた第１走査線であり、ｋ本の走査線は第２走査線であり、
前記走査線駆動回路は、
前記ｍ本の第１走査線を１フレーム期間において順次排他的に選択し、
１フレーム期間の最後からｋ本の第１走査線を順次排他的に選択する各期間において、前記ｋ本の第２走査線を順次排他的に選択する、
ことを特徴とする請求項２に記載の電気光学装置。
【請求項５】
請求項１乃至５のうちいずれか１項に記載の電気光学装置を備えた電子機器。
【請求項６】
複数の走査線と、複数のデータ線と、前記走査線と前記データ線との交差に対応して設けられた複数の画素回路とを有し、前記複数の画素回路の各々は、画素電極と、所定電位が供給される対向電極と、前記画素電極と前記対向電極との間に挟持された電気光学物質とを有する電気光学素子と、前記データ線と前記画素電極との間に設けられた第１トランジスタと、当該データ線に隣接するデータ線と前記画素電極との間に設けられた第２トランジスタとを備えた電気光学装置の駆動方法であって、
前記複数のデータ線に、前記所定電位を基準として正極性のデータ信号と負極性のデータ信号とを交互に供給し、
前記複数の走査線を順次選択する走査信号を前記複数の走査線に各々出力し、
奇数行の画素回路において、当該行の走査線を介して供給される走査信号を用いて前記第１トランジスタをオン状態又はオフ状態の一方に制御し、当該行より前に選択される行の走査線を介して供給される走査信号を用いて前記第２トランジスタをオン状態又はオフ状態の一方に制御し、
偶数行の画素回路において、当該行の走査線を介して供給される走査信号を用いて前記第２トランジスタをオン状態又はオフ状態の一方に制御し、当該行より前に選択される行の走査線を介して供給される走査信号を用いて前記第１トランジスタをオン状態又はオフ状態の一方に制御する、
電気光学装置の駆動方法。
【発明の詳細な説明】
【技術分野】
【０００１】
本発明は、液晶などの電気光学物質を備えた電気光学装置、その駆動方法および電子機器に関する。
【背景技術】
【０００２】
液晶の透過率の変化により表示を行う電気光学装置は、情報処理機器やテレビジョンなどの表示装置として広く用いられている。この表示装置では、行方向に延在する走査線と、列方向に延在するデータ線との交差に対応して画素電極が形成される。また、当該交差部分にあって画素電極とデータ線との間に、走査線に供給される走査信号にしたがってオンオフする薄膜トランジスタ（以下、ＴＦＴ：Thin Film Transistorと称する。）などの画素スイッチが介挿される。さらに、液晶を介して画素電極と対向するように対向電極が設けられる。また、画素電極には保持容量が接続されるのが一般的である。
【０００３】
このような構成において、走査線にオン電圧の走査信号が印加されると、当該走査線に接続された画素スイッチがオン状態となる。このオン状態の際に、データ線に、階調（濃度）に応じたデータ信号を供給すると、当該データ信号はＴＦＴを介して画素電極に印加されるので、当該画素電極および対向電極の間に挟持された電気光学物質には、当該データ信号に応じた電圧が印加されることになる。これによって該電気光学物質は電気光学的に変化する結果、画素における透過光量、反射光量または発光量（いずれにせよ、観察者側に視認される光量）が、画素電極に印加されたデータ信号の電圧に応じたものとなる。したがって、このような制御を画素毎に実行することによって、所定の表示が可能になる。
【０００４】
液晶には、直流電圧を印加するとその組成が変化し、焼きつきなどの品質劣化を生じるといった問題がある。そこで、所定の周期で、対向電極の電位を基準として正極性の電圧と負極性の電圧とを印加する交流駆動が行われる。交流駆動の方式としては、１水平走査期間ごとに印加電圧の極性を反転するライン反転の他に、上下左右隣り合う画素全てに逆の極性が印加されるドット反転が知られている。ドット反転の駆動方法では、液晶の劣化を抑制しつつフリッカを低減することができる。その一方、ドット反転の駆動方法では１水平走査期間ごとに液晶に印加する電圧の極性を反転するため、データ信号の極性を１水平走査期間ごとに反転する必要がある。データ信号はデータ線を介して画素回路に供給されるが、データ線には寄生容量が付随するため、データ信号を供給するには容量性の負荷を駆動する必要がある。このため、１水平走査期間ごとにデータ信号の極性を反転すると、消費電力が増大する。
この点を解消するため、特許文献１には、図９に示すように画素回路Ｐを挟んで配置される奇数番目のデータ線１０ａと偶数番目のデータ線１０ｂとに、ＴＦＴ５０を行ごとに交互に接続し、奇数番目のデータ線１０ａと偶数番目のデータ線１０ｂに極性の異なるデータ信号を供給する技術が開示されている。
【特許文献１】特開２００２−７２９８１号公報
【発明の開示】
【発明が解決しようとする課題】
【０００５】
ところで、ＴＦＴ５０がオフ状態になってもリーク電流が大きい場合には、液晶に印加される電圧が変化し、表示品質が劣化する。リーク電流はドレイン・ソース間の電圧、即ち、データ線１０ａ又は１０ｂの電位とノードＮの電位の電位差が大きいほど、大きくなる。したがって、液晶の印加電圧の極性とデータ線に供給されるデータ信号の極性とが不一致の場合はリーク電流が大きく、逆に、極性が一致する場合は、リーク電流が小さくなる。
【０００６】
あるフレームにおいて奇数番目のデータ線１０ａに正極性のデータ信号が供給され、偶数番目のデータ線１０ｂに負極性のデータ信号が供給され、直前のフレームでは奇数番目のデータ線１０ａに負極性のデータ信号が供給され、偶数番目のデータ線１０ｂに正極性のデータ信号が供給されるものとする。この場合、データ線１０ａの電位と奇数行の画素回路ＰのノードＮの電位は、図１０に示すものとなる。同図から明らかなように画素回路Ｐが位置する行によってデータ線１０ａの極性とノードＮの極性が逆極性となる回数が相違する。
【０００７】
つまり、あるフレームにおいて走査線が選択される順番が後になるにつれ、逆極性となる回数が増加する。これは、面内でリーク電流が相違することを意味する。例えば、表示装置がノーマリーブラックである場合に、白一色を表示すると、画面上部ではリーク電流が少ないので正確に白が表示されるが、画面下部ではリーク電流が大きいため灰色が表示されることになる。このように従来の技術では、画面に表示ムラが発生し、表示品質が劣化するといった問題があった。
【０００８】
本発明は、このような事情に鑑みてなされたものであり、ドット反転やライン反転の駆動方法において、消費電力を削減すると共に表示品質を改善することが可能な電気光学装置、その駆動方法および電子機器を提供することを解決課題とする。
【課題を解決するための手段】
【０００９】
上述した課題を解決するため、本発明に係る電気光学装置は、複数の走査線と、複数のデータ線と、前記走査線と前記データ線との交差に対応して設けられた複数の画素回路とを備えるものであって、前記複数のデータ線の各々にデータ信号を供給し、隣接するデータ線に所定電位を基準として極性の異なるデータ信号を供給するデータ線駆動回路と、前記複数の走査線を順次選択する走査信号を出力する走査線駆動回路とを備え、前記複数の画素回路の各々は、画素電極と、前記所定電位が供給される対向電極と、前記画素電極と前記対向電極との間に挟持された電気光学物質とを有する電気光学素子と、前記データ線と前記画素電極との間に設けられた第１トランジスタと、当該データ線に隣接するデータ線と前記画素電極との間に設けられた第２トランジスタとを備え、前記第１トランジスタ及び前記第２トランジスタのうち、一方のトランジスタのゲート電極は当該画素回路が属する行の走査線に接続され、他方のトランジスタのゲート電極は１フレーム期間において当該行の走査線が選択される前に選択される走査線に接続されることを特徴とする。
【００１０】
この発明によれば、画素回路に隣接する２本のデータ線には異なる極性（正極性と負極性）のデータ信号が供給され、画素回路の画素電極には、所定電位を基準として正極性又は負極性のデータ信号が書き込まれる。そして、第１トランジスタ及び第２トランジスタは隣接する２本のデータ線に各々接続されるが、それらがオフ状態にあるとき、一方のデータ線の電位は画素電極の電位と極性が相違し、他方のデータ線の電位は画素電極の電位と極性が一致する。リーク電流の大きさは画素電極の電位とデータ線の電位との電位差で定まるところ、全ての画素回路において画素電極の電位と隣接する２本のデータ線の電位との極性の関係は同じになるので、リーク電流の大きさを全ての画素回路で均等にすることができる。この結果、リーク電流の相違に起因する表示ムラを抑制し、表示品質を大幅に改善することができる。
【００１１】
また、フレーム期間内において各データ線に供給するデータ信号の極性を一定とすることができるので、消費電力を削減することができ、高速駆動やフレームレートを上昇させることが可能となる。さらに、上述したようにリーク電流を均等にするためには、各画素回路において表示すべき階調に応じたデータ信号を書き込むためのトランジスタの他に、リーク電流を発生させるトランジスタが必要となる。そこで、後者のトランジスタはオフ状態にするため、走査線とは別の配線を設けてゲート電位を供給することも考えられる。しかし、ゲート電位を供給する配線によって開口率が減少するといった欠点がある。この発明によれば、走査線を介して供給される走査信号を用いて後者のトランジスタを制御するので、開口率を低下させることなく、リーク電流を均等にすることができる。
【００１２】
上述した電気光学装置において、前記複数の画素回路はｍ（ｍは自然数）行ｎ（ｎは自然数）列に配列され、前記他方のトランジスタのゲート電極は、１フレーム期間において当該行の走査線が選択されるｋ（ｋは自然数）本前に選択される走査線に接続され、前記複数の走査線の本数はｍ＋ｋであることが好ましい。この場合には、画素回路の属する行の走査線のｋ本前の走査線が選択されると、仮のデータ信号が画素電極に書き込まれ、画素回路の属する行の走査線が選択されると、表示すべき階調に応じたデータ信号が画素電極に書き込まれる。なお、正確に階調を表示する観点からｋ＝１とし、直前に選択される走査線を介して供給される走査信号を用いて他方のトランジスタを制御することが好ましい。
【００１３】
また、前記走査線駆動回路は、１フレーム期間においてｍ＋ｋ本の走査線を順次排他的に選択することが好ましい。この場合は、１フレーム期間をｍ＋ｋ個の期間に分割し、各期間においてｍ＋ｋ本の走査線を順次選択すればよい。
また、上述した電気光学装置において、ｍ＋ｋ本の走査線のうち、ｍ本の走査線は各行に対応して設けらた第１走査線（例えば、図２に示す２０）であり、ｋ本の走査線は第２走査線であり（例えば、図２に示す２０Ｙ）、前記走査線駆動回路は、前記ｍ本の第１走査線を１フレーム期間において順次排他的に選択し、１フレーム期間の最後からｋ本の第１走査線を順次排他的に選択する各期間において、前記ｋ本の第２走査線を順次排他的に選択することが好ましい。この場合には、ｋ本の第２走査線を順次選択する期間は、ｍ本の第１走査線を選択する期間と重なるので、ｍ本の第１走査線を選択する期間を長くすることができる。この結果、長い時間をかけてデータ信号を画素回路に書き込むことができるので、データ信号を正確に画素回路に書き込むことができる。
【００１４】
次に、本発明に係る電子機器は、上述した電気光学装置を備える。このような電子機器としては、例えば、携帯情報端末、携帯電話機、ノート型コンピュータ、ビデオカメラ、およびプロジェクタなどが該当する。
【００１５】
次に、本発明に係る電気光学装置の駆動方法は、複数の走査線と、複数のデータ線と、前記走査線と前記データ線との交差に対応して設けられた複数の画素回路とを有し、前記複数の画素回路の各々は、画素電極と、所定電位が供給される対向電極と、前記画素電極と前記対向電極との間に挟持された電気光学物質とを有する電気光学素子と、前記データ線と前記画素電極との間に設けられた第１トランジスタと、当該データ線に隣接するデータ線と前記画素電極との間に設けられた第２トランジスタとを備えた電気光学装置を駆動する方法であって、前記複数のデータ線に、前記所定電位を基準として正極性のデータ信号と負極性のデータ信号とを交互に供給し、前記複数の走査線を順次選択する走査信号を前記複数の走査線に各々出力し、奇数行の画素回路において、当該行の走査線を介して供給される走査信号を用いて前記第１トランジスタをオン状態又はオフ状態の一方に制御し、当該行より前に選択される行の走査線を介して供給される走査信号を用いて前記第２トランジスタをオン状態又はオフ状態の一方に制御し、偶数行の画素回路において、当該行の走査線を介して供給される走査信号を用いて前記第２トランジスタをオン状態又はオフ状態の一方に制御し、当該行より前に選択される行の走査線を介して供給される走査信号を用いて前記第１トランジスタをオン状態又はオフ状態の一方に制御する。
【００１６】
この駆動方法によれば、全ての画素回路において画素電極の電位と隣接する２本のデータ線の電位との極性の関係は同じになるので、リーク電流の大きさを全ての画素回路で均等にすることができる。この結果、リーク電流の相違に起因する表示ムラを抑制し、表示品質を大幅に改善することができる。
なお、上述した発明において電気光学物質とは、電気的なエネルギーによって光学特性が変化する物質の意味であり、例えば、印加電圧に応じて透過率が変化する液晶が該当する。
【発明を実施するための最良の形態】
【００１７】
＜１．実施形態＞
図１に第１実施形態に係る電気光学装置のブロック図を示す。この電気光学装置５００は電気光学材料として液晶を用いる。電気光学装置５００は、主要部として液晶パネルＡＡを備える。液晶パネルＡＡは、スイッチング素子として薄膜トランジスタ（Thin Film Transistor：以下、「ＴＦＴ」と称する）を形成した素子基板と対向基板とを互いに電極形成面を対向させて、かつ、一定の間隙を保って貼付し、この間隙に液晶が挟持されている。
【００１８】
また、電気光学装置５００は、液晶パネルＡＡ、タイミング発生回路３００および画像処理回路４００を備える。液晶パネルＡＡの素子基板上には、画像表示領域Ａ、走査線駆動回路１００およびデータ線駆動回路２００が形成されている。この電気光学装置５００に供給される入力画像データＤｉｎは、例えば、２４ビットパラレルの形式である。タイミング発生回路３００は、画像処理回路４００から供給される水平走査信号や垂直走査信号などの制御信号に同期して、Ｙクロック信号ＹＣＫ、Ｘクロック信号ＸＣＫ、Ｙ転送開始パルスＤＹ、およびＸ転送開始パルスＤＸを生成して、走査線駆動回路１００およびデータ線駆動回路２００に供給する。また、タイミング発生回路３００は、画像処理回路４００を制御する各種のタイミング信号を生成し、これを出力する。
【００１９】
ここで、Ｙクロック信号ＹＣＫは、走査線２０を選択する期間を特定し、Ｘクロック信号ＸＣＫは、データ線１０を選択する期間を特定する。また、Ｙ転送開始パルスＤＹは走査線２０の選択開始を指示するパルスであり、一方、Ｘ転送開始パルスＤＸはデータ線１０の選択開始を指示するパルスである。
次に、画像処理回路４００は、入力画像データＤｉｎに、液晶パネルの光透過特性を考慮したガンマ補正等を施した後、ＲＧＢ各色の画像データをＤ／Ａ変換して、画像信号ＶＩＤを生成して液晶パネルＡＡに供給する。
【００２０】
図２に画像表示領域Ａの詳細な構成を示す。画像表示領域Ａには、ｍ＋１（ｍは２以上の自然数）本の走査線２０及び２０Ｙが、Ｘ方向に沿って平行に配列して形成される一方、ｎ＋１（ｎは２以上の自然数）本のデータ線１０が、Ｙ方向に沿って平行に配列して形成されている。そして、データ線１０と走査線２０との交差に対応してｍ×ｎ個の画素回路Ｐ（Ｐ１１〜Ｐｍｎ）が配列される。なお、走査線２０Ｙは、本来のデータ信号の書き込みとは無関係なダミーの配線である。
【００２１】
走査線２０とデータ線１０との交差に対応して画素回路Ｐが形成される。図３（Ａ）に画素回路Ｐｉｊを示し、図３（Ｂ）に画素回路Ｐｉ＋１ｊの回路図を示す。但し、ｉはｍ以下の奇数であり、ｊは１≦ｊ≦ｎの自然数である。同図に示すように画素回路Ｐは、液晶素子６０、ＴＦＴ５０ａおよびＴＦＴ５０ｂを備える。液晶素子６０は画素電極６１と対向電極６２との間に液晶を挟持して構成される。対向電極６２には共通電位Ｖcomが供給される。ＴＦＴ５０ａは左側のデータ線１０と画素電極６１との間に設けられ、ＴＦＴ５０ｂは右側のデータ線１０と画素電極６１との間に設けられる。
【００２２】
奇数行の画素回路Ｐｉｊにおいて、ＴＦＴ５０ａのゲート電極は第ｉ行の走査線２０に電気的に接続され、ＴＦＴ５０ｂのゲート電極は第ｉ−１行の走査線２０に電気的に接続される。一方、偶数行の画素回路Ｐｉ＋１ｊにおいて、ＴＦＴ５０ａのゲート電極は第ｉ行の走査線２０に電気的に接続され、ＴＦＴ５０ｂのゲート電極は第ｉ＋１行の走査線２０に電気的に接続される。換言すれば、画素回路Ｐは、隣接するデータ線のうち、一方のデータ線と画素電極との間に設けられた第１トランジスタ（例えばＴＦＴ５０ａ）と、他方のデータ線と画素電極との間に設けられた第２トランジスタ（例えばＴＦＴ５０ｂ）とを備え、奇数行において第１トランジスタのゲート電極は当該行の走査線と接続されると共に第２トランジスタのゲート電極は前行の走査線と接続され、偶数行において第１トランジスタのゲート電極は前行の走査線と接続されると共に第２トランジスタのゲート電極は当該行の走査線と接続される。
【００２３】
図１に示すデータ線駆動回路２００は、データ信号Ｘ１〜Ｘｎ+1をｎ＋１本のデータ線１０に出力する。信号の極性を対向電極６２の共通電位Ｖcomを基準として高電位を正極性、低電位を負極性と定めると、あるフレーム期間において奇数番目のデータ信号Ｘ１、Ｘ３、…Ｘｎ+1は正極性の信号であり、偶数番目のデータ信号Ｘ２、Ｘ４、…Ｘｎは負極性の信号である。また、次のフレーム期間において奇数番目のデータ信号Ｘ１、Ｘ３、…Ｘｎ+1は負極性の信号であり、偶数番目のデータ信号Ｘ２、Ｘ４、…Ｘｎは正極性の信号である。つまり、隣接するデータ線１０の電位は共通電位Ｖcomを基準として極性が反転しており、さらにフレーム間で極性が反転している。
【００２４】
また、各走査線２０及び２０Ｙには、走査線駆動回路１００から、走査信号Ｙ０、Ｙ１、Ｙ２、…、Ｙｍが、パルス的に線順次で印加されるようになっている。このため、ある走査線２０に走査信号が供給されると、当該行の画素回路においてＴＦＴ５０ａ及びＴＦＴ５０ｂの一方がオン状態となると共に、次の行の画素回路においてＴＦＴ５０ａ及びＴＦＴ５０ｂの他方がオン状態となる。そして、次の水平走査期間において次の行の画素回路においてＴＦＴ５０ａ及びＴＦＴ５０ｂの一方がオン状態となり、データ線２０を介して供給されるデータ信号が液晶素子６０に書き込まれる。
【００２５】
各画素に印加される電圧レベルに応じて液晶分子の配向や秩序が変化するので、光変調による階調表示が可能となる。例えば、液晶を通過する光量は、ノーマリーホワイトモードであれば、印加電圧が高くなるにつれて制限される一方、ノーマリーブラックモードであれば、印加電圧が高くなるにつれて緩和されるので、電気光学装置５００全体では、画像信号に応じたコントラストを持つ光が各画素毎に出射される。このため、所定の表示が可能となる。なお、保持された画像信号がリークするのを防ぐために、保持容量を画素電極６１と対向電極６２との間に形成される液晶容量と並列に付加してもよい。
【００２６】
次に、図４を参照して、電気光学装置の動作を説明する。まず、データ線１０に供給されるデータ信号Ｘ１,Ｘ３…Ｘn+1は、第１フレームＦ１において正極性となる一方、第２フレームＦ２において負極性になる。一方、データ信号Ｘ２,Ｘ４,…Ｘｎは、第１フレームＦ１において負極性となる一方、第２フレームＦ２において正極性になる。
【００２７】
次に、走査信号Ｙ０、Ｙ１、…Ｙｍが順次アクティブになると、データ信号Ｘ１〜Ｘｎ＋１が各行の画素回路Ｐに書き込まれる。例えば、走査信号Ｙ０がハイレベルになる水平走査期間Ｈ０において、第１行の画素回路Ｐ１１では、ＴＦＴ５０ｂがオン状態となって負極性のデータ信号Ｘ２が液晶素子６０に書き込まれる。次に、走査信号Ｙ１がハイレベルになる水平走査期間Ｈ１において、第１行の画素回路Ｐ１１では、ＴＦＴ５０ａがオン状態となって正極性のデータ信号Ｘ１が液晶素子６０に書き込まれる。そして、水平走査期間Ｈ２から水平走査期間Ｈｍにおいて、ＴＦＴ５０ａとＴＦＴ５０ｂとは共にオフ状態となる。ここで、リーク電流が問題となるのは、水平走査期間Ｈ２から水平走査期間Ｈｍである。これらのｍ−１個の水平走査期間では、負極性のデータ信号Ｘ２が供給されるデータ線１０と接続されるＴＦＴ５０ｂがオフ状態となっている。
【００２８】
また、第２行の画素回路Ｐ２１では、走査信号Ｙ１がハイレベルになる水平走査期間Ｈ１において、ＴＦＴ５０ａがオン状態となって正極性のデータ信号Ｘ１が液晶素子６０に書き込まれる。次に、走査信号Ｙ２がハイレベルになる水平走査期間Ｈ２において、第２行の画素回路Ｐ２１では、ＴＦＴ５０ｂがオン状態となって負極性のデータ信号Ｘ２が液晶素子６０に書き込まれる。そして、水平走査期間Ｈ０、及び水平走査期間Ｈ３から水平走査期間Ｈｍにおいて、ＴＦＴ５０ａとＴＦＴ５０ｂとは共にオフ状態となる。ここで、リーク電流が問題となるのは、水平走査期間Ｈ０、及び水平走査期間Ｈ２から水平走査期間Ｈｍである。これらのｍ−１個の水平走査期間のうち、水平走査期間Ｈ０では、負極性のデータ信号Ｘ２が供給されるデータ線１０と接続されるＴＦＴ５０ｂがオフ状態となっており、水平走査期間Ｈ２から水平走査期間Ｈｍでは、正極性のデータ信号Ｘ１が供給されるデータ線１０と接続されるＴＦＴ５０ａがオフ状態となっている。
【００２９】
このように、あるフレームにおいて、各画素回路Ｐにおいて画素電極６１の電位の極性とデータ線１０の電位の極性とが逆極性となる回数は、共通してｍ−１回である。したがって、各画素回路Ｐのリーク電流の大きさが均等になる。これにより、輝度ムラを大幅に改善することができる。
即ち、本実施形態では、隣接するデータ線１０に極性の異なるデータ信号を供給すると共に、各画素回路Ｐに２つのＴＦＴ５０ａ及び５０ｂを配置したので、両方のＴＦＴ５０ａ及び５０ｂがオフ状態なる期間において、画素電極の電位の極性と左右のデータ線１０における電位の極性との関係を全ての画素回路Ｐにおいて同じにできる。これにより、どの画素回路Ｐにおいても１フレームあたりのリーク電流の大きさが均等になる。
【００３０】
また、各データ線１０の電位に着目すると、１フレーム期間中は極性が反転することがないので、データ線１０の充放電振幅が小さくなり消費電力を低減することができる。また、データ線１０の電位の変動が小さいので、データ線駆動回路２００の出力段の駆動能力が比較的小さくても高速に駆動することが可能となる。この結果、フレームレートの上昇や画像の高精細化に対応することが可能となる。
【００３１】
さらに、画素回路ＰのＴＦＴ５０ａ及び５０ｂのうち一方は、リーク電流を発生させるために用いられる。この場合、そのゲート電極にはオフ状態にするための電位を供給する必要がある。仮に、専用線で電位を供給したとすると開口率が低下するが、本実施形態では、直前に選択される走査線２０を用いて一方のＴＦＴをオフ状態にしたので、開口率の低下を抑えることができ、明るくて見やすい画像を表示することが可能となる。
【００３２】
なお、上述した実施形態では、ある行の画素回路Ｐにおいて、当該行の走査線２０の走査信号の他に直前に選択される走査線２０に供給される走査信号を用いてリーク電流を発
生させたが、本発明はこれに限定されるものではなく、ＴＦＴ５０ａ及び５０ｂの一方を当該行の走査線２０に接続し、他方を１フレーム期間において当該行が選択される前に選択される走査線（例えば、２本前）に接続してもよい。この場合、他方のＴＦＴのゲート電極を、１フレーム期間において当該行の走査線が選択されるｋ（ｋは自然数）本前に選択される走査線に接続し、走査線の本数をｍ＋ｋとすればよい。
ここで、ｍ＋ｋ本の走査線のうち、各行に対応して設けらたｍ本の走査線（上述した実施形態の２０）を第１走査線、ｋ本の走査線を第２走査線（上述した実施形態の２０Ｙ）としたとき、走査線駆動回路１００は、図５に示すようにｋ本の第２走査線に走査信号Ｙａ１〜Ｙａｋを順次出力し、ｍ本の第１走査線に走査信号Ｙ１〜Ｙｍを順次出力する。
この場合、１フレーム期間Ｆ１においてｍ本の第１走査線は順次排他的に選択される。そして、１フレーム期間Ｆ１の最後からｋ本の第１走査線を順次排他的に選択する各期間Ｈm-k〜Ｈｍにおいて、ｋ本の第２走査線を順次排他的に選択する。
但し、ｋ＝１とすると、本来の階調を指示するデータ信号を書き込むまでの時間を最も短くすることができるので、階調を正確に表示することが可能となる。
【００３３】
また、上述した実施形態では、ドット反転駆動を一例として説明したが、駆動方法はライン反転駆動であってもよい。
また、上述した実施形態の電気光学装置５００は、電気光学物質に液晶を用いた液晶表示装置であり、この液晶表示装置は、透過型、反射型または半透過半反射型のいずれにも適用可能である。
【００３４】
＜２．電子機器＞
次に、本発明に係る電気光学装置５００を利用した電子機器について説明する。図６は、以上に説明した何れかの形態に係る電気光学装置５００を表示装置として採用したモバイル型のパーソナルコンピュータの構成を示す斜視図である。パーソナルコンピュータ２０００は、表示装置としての電気光学装置５００と本体部２０１０とを備える。本体部２０１０には、電源スイッチ２００１およびキーボード２００２が設けられている。この電気光学装置５００は消費電力を低減することができるので、バッテリーの駆動においても連続使用時間を伸ばすことが可能となる。
【００３５】
図７に、実施形態に係る電気光学装置５００を適用した携帯電話機の構成を示す。携帯電話機３０００は、複数の操作ボタン３００１およびスクロールボタン３００２、ならびに表示装置としての電気光学装置５００を備える。スクロールボタン３００２を操作することによって、電気光学装置５００に表示される画面がスクロールされる。
【００３６】
図８に、実施形態に係る電気光学装置５００を適用した携帯情報端末（ＰＤＡ：Personal Digital Assistants）の構成を示す。情報携帯端末４０００は、複数の操作ボタン４００１および電源スイッチ４００２、ならびに表示装置としての電気光学装置５００を備える。電源スイッチ４００２を操作すると、住所録やスケジュール帳といった各種の情報が電気光学装置５００に表示される。
【００３７】
なお、本発明に係る電気光学装置が適用される電子機器としては、図６から図９に示したもののほか、プロジェクタ、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００３８】
【図１】本発明の実施形態に係る電気光学装置のブロック図である。
【図２】同装置の画像表示領域の詳細な構成を示すブロック図である。
【図３】同装置に用いる画素回路の回路図である。
【図４】同装置の動作を示すタイミングチャートである。
【図５】変形例に係る電気光学装置の動作を示すタイミングチャートである。
【図６】電子機器の一例たるパーソナルコンピュータの斜視図である。
【図７】電子機器の一例たる携帯電話機の斜視図である。
【図８】電子機器の一例たる携帯情報端末の斜視図である。
【図９】従来の液晶装置の所要部を示すブロック図である。
【図１０】従来の液晶装置におけるリーク電流の問題点を説明するための説明図である。
【符号の説明】
【００３９】
１０……データ線、２０、２０Ｙ……走査線（第１走査線、第２走査線）、５０ａ、５０ｂ……ＴＦＴ（第１トランジスタ、第２トランジスタ）、６０……液晶素子、６１……画素電極、６２……対向電極、Ｖcom……共通電位（所定電位）、１００……走査線駆動回路、２００……データ線駆動回路、５００……電気光学装置、Ｘ１〜Ｘｎ+1……データ信号、Ｙ０〜Ｙｍ……走査信号、Ｐ１１〜Ｐｎｍ……画素回路。
【図１】
2008158385.tif 000003
【図２】
2008158385.tif 000004
【図３】
2008158385.tif 000005
【図４】
2008158385.tif 000006
【図５】
2008158385.tif 000007
【図６】
2008158385.tif 000008
【図７】
2008158385.tif 000009
【図８】
2008158385.tif 000010
【図９】
2008158385.tif 000011
【図１０】
2008158385.tif 000012